(57)【要約】      （修正有）【課題】脇の下にフィットして汗を効率よく吸収し、又、縫目が表面に現れない汗取りパットを備える衣類を提供する。【解決手段】汗取りパット６は吸汗性に優れた生地で構成されて袖付けライン５に縫付けラインを位置合わせして縫付け、そして下端部を身頃部の脇線３に縫い止め、縫付けた汗取りパット６の上縁には腕が嵌る開口１１を形成している。【選択図】図３
0003172024.tif 000002
【実用新案登録請求の範囲】
【請求項１】
衣類の袖付根部に汗取りパットを縫付けた衣類において、該汗取りパットは吸汗性に優れて伸縮性のある生地で構成され、袖付けラインに縫付けラインを位置合わせして縫付け、そして下端部を身頃部の脇線に縫い止め、縫付けた汗取りパットの上縁には腕が嵌る開口を形成したことを特徴とする汗取りパットを備えた衣類。
【請求項２】
上記上縁に沿って伸縮性の紐を縫付けた請求項１記載の汗取りパットを備えた衣類。
【請求項３】
上記汗取りパットの形状を概略半長円形とした請求項１、又は請求項２記載の汗取りパットを備えた衣類。
【請求項４】
上記汗取りパットの形状を概略逆三角形とした請求項１、又は請求項２記載の汗取りパットを備えた衣類。
【考案の詳細な説明】
【技術分野】
【０００１】
本考案は吸汗性に優れた生地で構成した汗取りパットを袖口に縫い付けた衣類に関するものである。
【背景技術】
【０００２】
夏場の暑い時期には汗をかき、特に脇の下は最も発汗し易い箇所であり、この箇所に発生する汗は衣類に付着して汗臭くなると共に、脇下部分には汗シミが生じる。これを防止する為に使い捨てタイプの汗取りパッドを脇の下に配置している。汗取りパッドにもその形態は色々知られているが、基本的には逆Ｖ形をして吸汗性に優れていると共に装着性が良くて、装着した際の違和感がないようにしている。
【０００３】
特開２０１０−１８９０４号に係る「汗取りパット」は、衣服を接着剤で損傷させたりすることなく、効率よく脇の下の汗を吸収することができる汗取りパットである。そこで、ほぼ中央部で折りたたまれる汗取りパット本体と、この汗取りパット本体の折りたたまれる部位の両端部を除く内側部位に、通常状態では収縮して多数個のギャザーとなるとともに、衣服の袖のアームホールの端部の侵入を阻止できるように縫着固定されたゴムテープと、前記汗取りパット本体の折りたたまれる部位の両端部と衣服の袖のアームホールの端部とを挟着固定する一対の止め具とで構成している。
【０００４】
また、使い捨てタイプの汗取りパッドではなく、汗取りパッドを脇の下に予め縫付けて取付けた衣類も存在している。第３０４６０１４号に係る「肌着」は、吸汗性の布地の端末や身頃と袖の縫い代が脇の下に当らず或いは挟まらないよう汗取りパッドを設けて、もた付き感のない着心地の良好なものに仕立て、汗が縫い目に滲み込んで汚れるのも抑えられる肌着である。
【０００５】
すなわち、略半楕円形の一枚布に形取り裁断した吸汗性の布地を袖口から身頃側に亘る脇の下相当部分の内側に縫い付けて汗取りパッドを設け、吸汗性の布地を同じ略半楕円形の一枚布に形取り裁断した袖地部分と重ねて袖口から身頃側に亘る脇の下相当部分に配すると共に、残余の袖地部分を含み各一枚布に形取り裁断した前，後身頃地と縫い合わせて汗取りパッド並びに袖を含む肌着全体として仕立てている。
【０００６】
特開２００９−１１４５８２号に係る「汗取りパッド付き衣類」は、腕の上げ下げ等の日常動作に対する追従性が高く、常時最適位置で脇下の汗を吸収することができる汗取りパッド付き衣類である。
前身頃と後身頃とからなる身頃部と袖との縫着部の内面の脇下に対応する位置に汗取りパッドを備え、前身頃と袖の前身頃側との袖付けラインはラグラン・ラインとする一方、後身頃と袖の後身頃側との袖付けラインはセットイン・ラインとし、汗取りパッドは身頃側部と袖側部とを備え、該身頃側部と袖側部の境界部をラグラン・ラインとセットイン・ラインからなる袖付けラインに沿って本体に縫着し、身頃側部および袖側部はいずれも前身頃側を後身頃側より大面積とし、前身頃側のラグラン・ラインに沿って汗取りパッドを大面積で配置している。
【０００７】
【特許文献１】特開２０１０−１８９０４号に係る「汗取りパット」
【特許文献２】第３０４６０１４号に係る「肌着」
【特許文献３】特開２００９−１１４５８２号に係る「汗取りパッド付き衣類」
【考案の開示】
【考案が解決しようとする課題】
【０００８】
ところで、汗取りパットを備えた衣類は色々存在しているが、従来の汗取りパットは脇の下にピッタリ収まるように成っていない。その為に、脇の下に発生した汗の一部は汗取りパットに吸取られなくて流れ落ちる場合も多い。また、脇の下に汗取りパットを衣類に縫い付けることで衣類の表面に縫目が現れて外観が損なわれる。本考案が解決しようとする課題はこれら問題であって、脇の下にフィットして発生する汗を効率よく吸取ることが出来ると共に、汗取りパットの縫目が表面に現れないように縫製した汗取りパットを備えた衣類を提供する。
【課題を解決するための手段】
【０００９】
本考案に係る衣類は脇の下に汗取りパットを縫い付けている。該汗取りパットは概略半長円形、概略三角形、又はその他の形状をして吸汗性に優れた生地が用いられ、袖の付根部（袖口）に縫い付けられる。そして、袖の付根部は該略半長円形又は概略三角形の汗取りパットが縫付けられることで袖口の上部が開口し、この袖口上部開口に腕が入るように成っている。
【００１０】
すなわち、汗取りパットは袖付けラインに沿って縫付けられるが、縫付けられる箇所は外形とは異なる縫付けラインと成る。縫付けラインは汗取りパットの上縁より下側に位置する滑らかな円弧状のラインであり、このラインを袖付きラインに位置合わせして縫付けられる。その為に、縫付けられた汗取りパットは袖付きラインより身頃部に重なり合って下方へ延び、その下端部は脇線に縫い止めされている。また、ここで汗取りパットの形状は限定せず、該汗取りパットを縫付けるに際して縫目が表面化しない縫製方法としている。
【考案の効果】
【００１１】
本考案の衣類は袖の付根部に汗取りパットが縫付けられ、この汗取りパットによって脇の下に発生した汗が吸収される。ここで、袖の付根部に取付けた汗取り
パットはその形状が概略半長円形、概略三角形、又はその他の形状をしており、
袖口の下側に配置されて上部開口に腕が挿通することで、該汗取りパットは脇の下にフィットすることが出来る。その為に、脇の下の汗は流れ落ちることなく汗取りパットに吸取られる。
【００１２】
そして、汗取りパットが袖口の下側に配置されて縫付けられることで、腕を上げても脇の下は汗取りパットにて遮蔽されて、胸元が見えないようになることから、夏場の短い袖を有す衣類には好ましい。また、該汗取りパットは内側にて縫付けられる為に、縫目は表面に現れず、衣類に汗取りパットが取付けられていることは分からず、衣類の外観的が損なわれることがない。
【図面の簡単な説明】
【００１３】
【図１】汗取りパットを備えた肌着の外観図。
【図２】汗取りパットの具体例。
【図３】汗取りパットを袖付根部に縫付けた場合で、（ａ）は表面から見た場合、（ｂ）は裏側から見た場合。
【考案を実施するための形態】
【００１４】
図１は本考案に係る汗取りパットを備えた衣類を示す具体例であり、該衣類は被りタイプの三分袖の肌着であり、本体１の左右の袖口内部に汗取りパッドを備えている。身頃部２は前身頃と後身頃とが両脇線３，３で縫着され、該身頃部２の左右に袖４，４が縫付けられている。
【００１５】
また、両袖４，４は身頃部２に取付けられているが、袖付けライン５，５に沿って縫付けられ、縫目は外に現れない縫製としている。ところで、汗取りパットは袖４，４の付根部となる袖口に縫付けられるが、その形状は概略半長円形としている。しかし、汗取りパットの具体的な形状は限定しないことにする。
【００１６】
図２は汗取りパット６を示す具体例であり、（ａ）は概略半長円形の汗取りパットで上縁がストレートと成っている場合、（ｂ）は同じく概略半長円形で上縁が滑らかな凹状を形成している汗取りパットを表している。該汗取りパット６は吸汗性に優れて伸縮性のある生地で構成され、しかも、２枚折りされた形態ではなく、比較的厚めの１枚生地と成っている。ところで、上記肌着を着用した場合には、この汗取りパット６は脇の下に挟まるように袖４の付根部に縫付けて取付けられる。
【００１７】
すなわち、該汗取りパット６は図１に示す肌着の袖付けライン５に沿って縫付けられるが、縫付ける部位は図２に点線で示す縫付けライン９となる。この縫付けライン９は滑らかな円弧を形成した外周縁７と上縁８の中間部に設けた湾曲ラインであり、この縫付けライン９が袖付きライン５に合わされて縫製される。そして、外周縁７の下端部１０は肌着の脇線３に縫い止められる。また上記上縁８には伸縮性の紐（チューブバンド）が縫付けられている。
【００１８】
図３は汗取りパット６を肌着の袖付根部に縫付けた場合であり、（ａ）は表側から見た状態、（ｂ）は裏側から見た状態をそれぞれ表している。このように、汗取りパット６は袖付けライン５に縫付けライン９を位置合わせして縫付け、外周縁７の下端部１０は肌着の脇線３に縫い止められている。
【００１９】
ところで、袖付根部となる袖付けライン５に沿って縫付けた汗取りパット６は袖口の上部に開口１１を形成し、この開口１１から腕が挿通されて袖４に入る。肌着の袖４は大きめに縫製され、汗取りパット６にて袖口の下側が遮蔽されるが、上側に形成される開口１１に腕が嵌るサイズと成っている。そして、肌着を着用するならば、汗取りパット６は脇の下に配置されて発生する汗は吸収され、衣類本体１に汗が滲み込むことがないようにしている。
【００２０】
汗取りパット６は袖付きライン５に縫付けライン９が位置合わせされて縫付けられ、しかも袖付きライン５から下方へ大きく延び、下端部１０が脇線３に縫い止めされている。従って、脇の下から流れ落ちる汗は下方へ大きく延びる汗取りパット６によって吸収される。
【符号の説明】
【００２１】
１   本体
２   身頃部
３   脇線
４   袖
５   袖付きライン
６   汗取りパット
７   外周縁
８   上縁
９   縫付けライン
10   下端部
11   開口
【図１】
0003172024.tif 000003
【図２】
0003172024.tif 000004
【図３】
0003172024.tif 000005